(57)【特許請求の範囲】
【請求項１】
調理物を加熱する加熱手段と、加熱開始の操作を行い動作中の状態を表示する操作表示部と、前記加熱手段や前記操作表示部を制御する制御部とを各々複数備え、複数の前記加熱手段と複数の前記制御部は各々同一の構成とし、複数の前記操作表示部のうち少なくとも１つは最大火力設定が異なり、複数の前記加熱手段を各々の前記操作表示部の最大火力設定で同時に加熱しても住居の系統電流容量を超えないように設定できる複数の前記操作表示部のうちから各々いずれか１つを選択して接続できるように構成した加熱調理器。
【請求項２】
前記操作表示部は、前記加熱手段および前記制御部の有する機能の一部の機能のみ操作または表示できる前記操作表示部を選択できる構成とした請求項１に記載の加熱調理器。
【請求項３】
複数の前記加熱手段および前記制御部に各々独立した前記操作表示部を備えた請求項１または２に記載の加熱調理器。
【請求項４】
前記制御部は接続する前記操作表示部の構成に応じて各々の前記加熱手段の火力や前記制御部の機能を変えることができる構成とした請求項３に記載の加熱調理器。
【請求項５】
前記制御部および前記加熱手段と接続した前記操作表示部は他の前記制御部および前記加熱手段と接続した前記操作表示部と相互に入れ替えができる構成とした請求項３または４に記載の加熱調理器。
【請求項６】
前記操作表示部は前記加熱開始の操作を受け付ける操作部と動作中の状態を表示する表示部とを有し、前記操作部は前記制御部に操作入力情報を伝達し、前記表示部は前記制御部からの指示により表示をする構成とし、前記操作部および前記表示部は電源投入時または随時前記制御部に前記操作部および前記表示部の固有識別信号または操作仕様および表示仕様を伝達し、前記制御部は前記操作部および前記表示部の仕様に基づいて前記操作部からの情報を受け取り、前記表示部へ表示指示をする構成とした請求項１〜５のいずれか１項に記載の加熱調理器。
【請求項７】
前記制御部は前記加熱手段または前記制御部が備えていない機能の操作仕様または表示仕
様が接続した前記操作表示部にあるときは使用できない操作および表示については動作しない構成とした請求項１〜６のいずれか１項に記載の加熱調理器。
【請求項８】
使用者に音または表示でお知らせする報知手段を備え、前記制御部は使用できない操作が前記操作部より伝達されたときには前記報知手段にて無効な操作であることを使用者にお知らせするようにした請求項７に記載の加熱調理器。
【請求項９】
前記制御部は前記操作表示部との接続が外れたときには外れた接続に対応した前記加熱手段の加熱を強制的に停止する構成とした請求項１〜８のいずれか１項に記載の加熱調理器。
【発明の詳細な説明】
【技術分野】
【０００１】
本発明は、鍋などの被加熱物を加熱し調理する加熱調理器に関するものである。
【背景技術】
【０００２】
従来、この種の加熱調理器としては、加熱部と、加熱に関する命令を入力する操作制御部と、操作制御部と通信を行う第１の加熱制御部と、操作制御部とフォトカプラを介在して通信を行う第２の加熱制御部を備えることにより、操作制御部における回路のコモン電位を第１の加熱制御部に統一して、操作制御部の構成を簡素化して小型化、低コスト化するというものが知られている（例えば、特許文献１参照）。
【特許文献１】特開２００１−１６０４８２号公報
【発明の開示】
【発明が解決しようとする課題】
【０００３】
しかしながら、前記従来の構成では、複数の加熱部を有する加熱調理器を操作する操作制御部同士は電源系や信号系で少なからず結びついており、複数の加熱部を制御する統一した設計の必要が有り、個別の操作制御部をニーズに合わせて変更することは簡単ではなく、類似構成にて商品展開がしにくいという課題があった。
【０００４】
本発明は、前記従来の課題を解決するもので、複数の加熱部を有する加熱調理器において、単純な構成により生産性の高さを保ちつつ、ニーズに応じて操作表示部の変更が簡単にできる加熱調理器を提供することを目的とする。
【課題を解決するための手段】
【０００５】
前記従来の課題を解決するために、本発明の加熱調理器は、調理物を加熱する加熱手段と、加熱開始などの操作を行い動作中の状態などを表示する操作表示部と、加熱手段や操作表示部を制御する制御部とを各々複数備え、複数の前記加熱手段と複数の前記制御部は各々同一の構成とし、前記操作表示部は異なる複数の操作表示部のうちから各々いずれか１つを選択して接続できるように構成したものである。
【０００６】
これによって、複数の加熱部を有する加熱調理器において、単純な構成により生産性の高さを保ちつつ、ニーズに応じて操作表示部の変更が簡単にできる。
【発明の効果】
【０００７】
本発明の加熱調理器は、単純な構成により生産性の高さを保ちつつ、ニーズに応じて操作表示部の変更が簡単にできる。
【発明を実施するための最良の形態】
【０００８】
第１の発明は、調理物を加熱する加熱手段と、加熱開始の操作を行い動作中の状態を表示する操作表示部と、前記加熱手段や前記操作表示部を制御する制御部とを各々複数備え、複数の前記加熱手段と複数の前記制御部は各々同一の構成とし、複数の前記操作表示部のうち少なくとも１つは最大火力設定が異なり、複数の前記加熱手段を各々の前記操作表示部の最大火力設定で同時に加熱しても住居の系統電流容量を超えないように設定できる複数の前記操作表示部のうちから各々いずれか１つを選択して接続できるように構成した加熱調理器とするものである。これにより、加熱手段や制御部を変更することなく、操作表示部のみを変更することが容易にでき、複数の加熱手段間における操作表示仕様の配置を変更することが容易にでき、多岐に亘る市場ニーズにも細かく対応できる加熱調理器を安価にて実現できる。すなわち、単純な構成により生産性の高さを保ちつつ、ニーズに応じて操作表示部の変更が簡単にでき、複数の加熱手段の最大火力の合計が給電系統の容量を超えないように設定することができる。
【０００９】
第２の発明は、特に、第１の発明において、前記操作表示部は、前記加熱手段および前記制御部の有する機能の一部の機能のみ操作または表示できる前記操作表示部を選択できる構成としたことにより、複数の加熱手段のうち一部を通常加熱専用や湯沸し専用などのように機能を単純化でき、使い勝手のよい加熱調理器を容易に実現できる。
【００１０】
第３の発明は、特に、第１または第２の発明において、複数の前記加熱手段および前記制御部に各々独立した前記操作表示部を備えたことにより、一部の加熱手段の機能を変更するときには該当の加熱手段に対応する操作表示部のみを変更することで対応でき、複数
の加熱手段に対応する複数の操作表示部の組み合わせや配置を自由に設定でき、多岐に亘る市場ニーズに対してより細かく且つ安価に対応できる。
【００１１】
第４の発明は、特に、第３の発明において、前記制御部は接続する前記操作表示部の構成に応じて各々の前記加熱手段の火力や前記制御部の機能を変えることができる構成としたことにより、複数の加熱手段の配置に対する機能配分を自由に設定でき、設置環境や使用者の事情や好みに応じて複数の加熱手段における各々の機能を選択でき、複数の加熱手段の最大火力合計が給電系統の容量を超えないように設定することができ、使いやすく機能的で安全な加熱調理器を安価にて提供することができる。
【００１２】
第５の発明は、特に、第３または第４の発明において、前記制御部および前記加熱手段と接続した前記操作表示部は他の前記制御部および前記加熱手段と接続した前記操作表示部と相互に入れ替えができる構成としたことにより、使用者の事情や好みの変化、使用環境の変化に応じて各々の加熱手段毎に使用者が自由に操作表示部を変更でき、機能の追加や削除なども使用者によって変更することができる。
【００１３】
第６の発明は、特に、第１〜第５のいずれか１つの発明において、前記操作表示部は前記加熱開始の操作を受け付ける操作部と動作中の状態を表示する表示部とを有し、前記操作部は前記制御部に操作入力情報を伝達し、前記表示部は前記制御部からの指示により表示をする構成とし、前記操作部および前記表示部は電源投入時または随時前記制御部に前記操作部および前記表示部の固有識別信号または操作仕様および表示仕様を伝達し、前記制御部は前記操作部および前記表示部の仕様に基づいて前記操作部からの情報を受け取り、前記表示部へ表示指示をする構成としたことにより、操作表示部は単純な構成とすることができ、操作表示部を変更する場合でも安価にて別の操作表示部を提供することができ、制御部は操作表示部の操作仕様や表示仕様に応じて多彩な仕様や機能の中から必要な仕様や機能を簡単な構成で選択したり変更したりすることができる。
【００１４】
第７の発明は、特に、第１〜第６のいずれか１つの発明において、前記制御部は前記加熱手段または前記制御部が備えていない機能の操作仕様または表示仕様が接続した前記操作表示部にあるときは使用できない操作および表示については動作しない構成としたことにより、加熱手段および制御部の製品展開ができ、操作表示部の操作仕様や表示仕様が加熱手段および制御部の持つ機能や性能に合っていなくても接続して一部使用できる構成とでき、操作表示部のバリエーションを削減してコストの低下を図ることができる。
【００１５】
第８の発明は、特に、第７の発明において、使用者に音または表示でお知らせする報知手段を備え、前記制御部は使用できない操作が前記操作部より伝達されたときには前記報知手段にて無効な操作であることを使用者にお知らせするようにしたことにより、加熱手段および制御部に該当の機能がない場合に操作表示部から誤って操作しても使用できない機能であることがすぐに使用者に伝えることができ、操作表示部と加熱手段および制御部との機能差があっても操作に支障をきたさないようにすることができる。
【００１６】
第９の発明は、特に、第１〜第８のいずれか１つの発明において、前記制御部は前記操作表示部との接続が外れたときには外れた接続に対応した前記加熱手段の加熱を強制的に停止する構成としたことにより、複数の制御部と各々に対応した操作表示部との接続のうちの１つが外れたときには接続の外れた制御部に対応した加熱手段を強制的に加熱停止して安全を確保でき、それ以外の加熱手段については使用を継続でき、安全で使い勝手のよい加熱調理器を提供できる。
【００１７】
以下、本発明の実施の形態について、図面を参照しながら説明する。なお、この実施の形態によって本発明が限定されるものではない。
【００１８】
（実施の形態）
図１〜図５は、本発明の実施の形態における加熱調理器を示すものである。
【００１９】
図１に示すように、本実施の形態における加熱調理器は、調理物を入れる第１の鍋１と、第１の鍋１を載置した耐熱ガラスなどで構成したトッププレート２と、第１の鍋１、すなわち鍋内の調理物をトッププレート２越しに加熱するランプヒータ、電磁誘導加熱コイルなどの第１の加熱手段３と、第１の加熱手段３を制御するマイコンなどで構成する第１の制御部４と、加熱開始などの使用者の操作情報を第１の制御部４に伝達し、第１の制御部４からの表示指示を受けて動作中の状態などを表示する第１の操作表示部５と、第１の制御部４からの報知指示を受けて報知する第１の報知手段８を有する。また、第１の操作表示部５は、第１の加熱手段３に対する使用者の操作を受け付ける第１の操作部６と、第１の加熱手段３の制御状態などを表示する第１の表示部７とを有する。
【００２０】
さらに同様に、調理物を入れる第２の鍋１１と、第２の鍋１１をトッププレート２越しに加熱するランプヒータ、電磁誘導加熱コイルなどの第２の加熱手段１３と、第２の加熱手段１３を制御するマイコンなどで構成する第２の制御部１４と、加熱開始などの使用者の操作情報を第２の制御部１４に伝達し、第２の制御部１４からの表示指示を受けて表示する第２の操作表示部１５と、第２の制御部１４からの報知指示を受けて報知する第２の報知手段１８を有する。また、第２の操作表示部１５は、第２の加熱手段１３に対する使用者の操作を受け付ける第２の操作部１６と、第２の加熱手段１３の制御状態などを表示する第２の表示部１７とを有する。
【００２１】
そして、第１、第２の操作表示部５、１５は、異なる複数の操作表示部のうちから各々いずれか１つを選択して接続できるように構成している。
【００２２】
以上のように構成された加熱調理器について、以下その動作、作用を説明する。
【００２３】
まず、調理物を入れた第１の鍋１をトッププレート２の所定の位置に載置する。その後、第１の操作部６の操作により加熱開始の指示を第１の制御部４に出すと、第１の制御部４は第１の加熱手段３に加熱の指示を出し、第１の加熱手段３はトッププレート２越しに第１の鍋１を加熱しその内部の調理物を加熱調理する。一方で第１の制御部４は第１の表示部７に加熱を開始したことを使用者に知らしめるための表示指示を出し、第１の表示部７は加熱を開始したことを示す表示を行うというように動作する。
【００２４】
ここで、第１の操作部６と第１の表示部７は第１の表示操作部５の構成要素であり、第１の操作表示部５として、ここでは図２の仕様のものを接続している。
【００２５】
図２は、本実施の形態における第１、第２の操作表示部５、１５の一例であり、加熱、揚物、湯沸しの各機能と、火力調整、加熱タイマー機能の操作ができるもので、液晶表示などによりピクト表示できるディスプレイ素子も備えている。図２の操作表示仕様のユニットを第１の操作表示部５として接続した場合における具体的な動作を次に説明する。
【００２６】
機器の電源を投入すると、第１の制御部４は第１の操作表示部５から操作表示仕様情報を受信し、操作表示仕様に従って第１の操作部６からの操作情報受信と第１の表示部７への表示情報の送信を行うように動作する。ここで、第１の操作表示部５から第１の制御部４が受信する操作表示仕様情報は、第１の操作部６の仕様と第１の表示部７の仕様について具体的にキーやランプの情報を伝える方法の他に、予めパターンを決めておいて、パターン情報のみを伝える方法でもよい。
【００２７】
第１の制御部４に操作表示仕様情報を伝えた第１の操作表示部５において、加熱キー２１を押すと第１の制御部４から第１の加熱手段３へ加熱の指示を出し、第１の加熱手段３は第１の鍋１の加熱を開始する。同時に第１の制御部４は第１の操作表示部５の加熱ランプ２２を点灯するよう指示を出し、加熱ランプ２２は点灯する。
【００２８】
さらに、第１の制御部４はディスプレイ２３に火力５レベルの表示を行うよう指示を出し、第１の操作表示部５はディスプレイ２３に火力５レベルの表示を行う。
【００２９】
次に、第１の操作表示部５にて火力アップキー２４を操作すると、第１の制御部４は火力を１段階上げる指示を第１の加熱手段３に出して図２の表示状態とし、火力ダウンキー２５を操作すると第１の制御部４は火力を１段階下げる指示を第１の加熱手段３に出して火力４レベルの表示を行う。また、タイマープラスキー２６またはタイマーマイナスキー２７を操作すると第１の制御部４の加熱タイマー機能が作動し、タイマープラスキー２７操作時はタイマー時間の増加、タイマーマイナスキー２７操作時はタイマー時間の減少を行い、都度、ディスプレイ２３にタイマー時間を表示する。その後、設定したタイマー時間が経過するか、または加熱動作中に切キー２８を操作すると、第１の制御部４は第１の加熱手段３へ加熱停止の指示を出し、同時に第１の操作表示部５へ加熱ランプ２２およびディスプレイ２３の消灯の指示を出す。
【００３０】
次に、揚物キー２９を操作すると、第１の制御部４から第１の加熱手段３へ加熱の指示を出し、第１の加熱手段３は第１の鍋１の加熱を開始する。同時に第１の制御部４は第１の操作表示部５の揚物ランプ３０を点灯するよう指示を出し、揚物ランプ３０は点灯する。
【００３１】
さらに、第１の制御部４はディスプレイ２３に揚物設定温度の表示を行うよう指示を出し、第１の操作表示部５はディスプレイ２３に揚物設定温度の初期温度である１８０℃を示す「１８０」の表示を行う。以後、第１の制御部４は第１の鍋１内の油温度を約１８０℃に保つように第１の加熱手段３を制御する。
【００３２】
次に、第１の操作表示部５にて火力アップキー２４を操作すると第１の制御部４は揚物設定温度を１０ｄｅｇ上げる指示を第１の加熱手段３に出し、同時に第１の操作表示部５のディスプレイ２３に「１９０」を表示する指示を出し、第１の鍋１内の油温度を約１９０℃に保つように第１の加熱手段３を制御する。また、火力ダウンキー２５を操作すると第１の制御部４は揚物設定温度を１０ｄｅｇ下げる指示を第１の加熱手段３に出し、同時に第１の操作表示部５のディスプレイ２３に「１７０」を表示する指示を出し、第１の鍋１内の油温度を約１７０℃に保つように第１の加熱手段３を制御する。
【００３３】
また、湯沸しキー３１を操作すると、第１の制御部４から第１の加熱手段３へ加熱の指示を出し、第１の加熱手段３は第１の鍋１の加熱を開始する。同時に第１の制御部４は第１の操作表示部５の湯沸しランプ３２を点灯するよう指示を出し、湯沸しランプ３２は点灯する。以後、第１の制御部４は第１の鍋１内のお湯が沸騰するまで第１の加熱手段３に加熱指示を出し続け、第１の鍋１内のお湯が沸騰すると、第１の加熱手段３へ加熱停止の指示を出し、同時に湯沸しランプ３２へ消灯の指示を出し湯沸しランプ３２は消灯する。
【００３４】
以上、第１の操作表示部５にて第１の鍋１を加熱し制御する一例の流れを示したが、同様に第２の操作表示部１５にて第２の鍋１１を加熱し制御する場合においても第２の操作部１６からの加熱開始指示により第２の制御部１４が第２の加熱手段１３に加熱の指示を出し、同時に第２の制御部１４は第２の表示部１７に加熱中を示す表示をする指示を出すというように同じ流れとなる。
【００３５】
ところで、第１の操作表示部５および第２の操作表示部１５は、図２に示す操作表示仕様のものとは異なる仕様の操作表示ユニットと交換することができる。
【００３６】
図３は、本実施の形態における第１、第２の操作表示部５、１５の二例であり、湯沸しの機能のみを備えている。図３の操作表示仕様のユニットを第２の操作表示部１５として接続した場合における具体的な動作を次に説明する。
【００３７】
機器の電源を投入すると、第２の制御部１４は第２の操作表示部１５から操作表示仕様情報を受信し、操作表示仕様に従って第２の操作部１６からの操作情報受信と第２の表示部１７への表示情報の送信を行うように動作することにより、第２の制御部１４は第２の操作制御部１５の機能として湯沸しキー４１と切キー４３と湯沸しランプ４２のみを有しているという情報を受け取る。
【００３８】
第２の操作表示部１５において、湯沸しキー４１を押すと第２の制御部１４から第２の加熱手段１３へ加熱の指示を出し、第２の加熱手段１３は第２の鍋１１の加熱を開始する。同時に第２の制御部１４は第２の操作表示部１５の湯沸しランプ４２を点灯するよう指示を出し、湯沸しランプ４２は点灯する。以後、第２の制御部１４は第２の鍋１１内のお湯が沸騰するまで第２の加熱手段１３に加熱指示を出し続け、第２の鍋１１内のお湯が沸騰すると第２の加熱手段１３へ加熱停止の指示を出し、同時に湯沸しランプ４２へ消灯の指示を出し湯沸しランプ４２は消灯する。
【００３９】
以上、図３の操作表示部にて第２の鍋１１を加熱し湯沸し制御する一例の流れを示したが、第１の制御部４に接続する第１の操作表示部５として図２の操作表示部を接続している場合、第１の加熱手段３および第１の制御部４が有する火力や機能の殆どを使用できる状態となっているものの、操作スイッチが多く表示もやや複雑で扱いにくい面もある。これに対して、第２の制御部１４に接続する第２の操作表示部１５として図３の操作表示部を接続している場合、第２の加熱手段１３および第２の制御部１４の有する火力や機能のうち使用できるのは湯沸しの機能のみになるが、必要機能のみに絞っているので、使用者の使用環境に適合するのであれば非常に使いやすい構成となる。例えば、第１の加熱手段３はオールマイティーにメインの調理に使用しつつ、第２の加熱手段１３は時間の掛かる湯沸しに専念させたり、または、普段のちょっとした湯沸しには第２の加熱手段１３をメインで使用するようにしたりすれば、機器の操作に慣れていない方や目の不自由な方などにも分かりやすく使いやすい加熱調理器となる。
【００４０】
また、使用者の家族構成や好みの変化、転居などによる環境の変化などにより、加熱調理器の機能への要求が変化することがある。例えば、上記の図３の例では第２の加熱手段１３は湯沸し専用となるように第２の操作表示部１５を選択していたが、環境の変化によりメインの調理をしながら長時間の煮物をすることが増えてきたり、住居が変わったことで電源系統が変わり、第１の加熱手段３と第２の加熱手段１３を共に最大火力で使用するとブレーカが作動することがあるなどの問題が出てきたりした場合の対応例を説明する。
【００４１】
第１の操作表示部５および第２の操作表示部１５はコネクタなどの使用により使用者やサービスマンが比較的簡単な作業にて着脱できるように構成してあり、一方、操作表示部５、１５のユニットは１つの加熱手段毎のユニットとして使用者の使用環境や好みに応じて複数のパターンのものが準備されている。複数の加熱手段および制御部における操作表示部との接続構成は各々同一の構成としており、操作表示部は複数の制御部の各々に１つずつ接続するようにしており、単独でも相互にでも入れ替えが可能にしてある。
【００４２】
また、上記の例でも示してきたように、第１の操作表示部５は第１の操作部６の操作情報をそのまま第１の制御部４に渡し、第１の制御部４から受けた表示指示により第１の表示部７に表示するようにしているので、第１の操作表示部５は単純な構成にでき、構成部品も少なく安価にすることができるので、操作表示部５を取り替える場合にも追加の費用は少なくて済む。もちろん、第２の操作表示部１５についても同様である。
【００４３】
次に、前出の例において、第２の加熱手段１３および第２の制御部１４に接続される第２の操作表示部１５として設置されていた図３の操作表示部ユニットを取り外して、別途準備した図４の操作表示部のユニットを代わりに取り付ける場合を考える。
【００４４】
図４は、本実施の形態における第１、第２の操作表示部５、１５の三例であり、加熱、煮物の各機能と、火力調整の操作ができるもので、液晶表示などによりピクト表示できるディスプレイ素子も備えている。図４の操作表示仕様のユニットを第２の操作表示部１５として接続した場合における具体的な動作を次に説明する。
【００４５】
加熱キー５１、加熱ランプ５２、火力アップキー５４、火力ダウンキー５５、切キー５８の各動作は、図２の操作表示仕様のユニットと同じであるため詳細な動作の説明は割愛する。但し、加熱キー５１操作後に火力アップキー５４を操作したときに、火力は５段階までしか設定がなく火力６レベルには移行しないようにしている。これにより、第１の加熱手段３と第２の加熱手段１３において双方の最大火力設定で同時に加熱しても住居の系統電流容量を超えないように設定している。
【００４６】
煮物キー５９を操作すると第２の制御部１４から第２の加熱手段１３へ加熱の指示を出し、第２の加熱手段１３は第２の鍋１１の加熱を開始する。同時に第２の制御部１４は第２の操作表示部１５の煮物ランプ６０を点灯するよう指示を出し、煮物ランプ６０は点灯する。以後、第２の制御部１４は第２の鍋１１内の煮物が煮崩れしない程度の火力にて第２の鍋１１の温度を制御して煮物調理を行うことができる。
【００４７】
次に、加熱手段や操作部が有していない火力や機能を操作したり表示したりする機能を備えている操作表示部を接続した場合について説明する。前出の例において、煮物の機能は必要だが加熱タイマー機能も必要になった場合を想定している。第２の加熱手段１３および第２の制御部１４に接続される第２の操作表示部１５として付け替えた図４の操作表示部ユニットを取り外して、改めて別途準備した図５の操作表示部のユニットを代わりに取り付ける。
【００４８】
図５は本実施の形態における第１、第２の操作表示部５、１５の四例であり、加熱、煮物、炊飯の各機能と、火力調整、加熱タイマー機能の操作ができるもので、液晶表示などによりピクト表示できるディスプレイ素子も備えている。図５の操作表示仕様のユニットを第２の操作表示部１５として接続した場合における具体的な動作を次に説明する。
【００４９】
加熱キー７１、加熱ランプ７２、火力アップキー７４、火力ダウンキー７５、タイマープラスキー７６、タイマーマイナスキー７７、切キー７８の各動作は図２の操作表示仕様のユニットと同じであり、煮物キー７９の動作は図４の操作表示仕様のユニットと同じであるため詳細な動作の説明は割愛する。但し、ディスプレイ７３の火力表示は７段階まで設定がある。
【００５０】
機器の電源を投入すると、第２の制御部１４は第２の操作表示部１５から操作表示仕様情報を受信し、操作表示仕様に従って第２の操作部１６からの操作情報受信と第２の表示部１７への表示情報の送信を行うように動作するのは、第２の操作表示部１５を図５のものに取り替える前と同じである。但し、図５の操作表示仕様にある炊飯キー８１、炊飯ランプ８２の制御については第２の制御部１４は機能を有しておらず、また、ディスプレイ７３の火力７レベル表示については第２の加熱手段１３にて該当の火力設定を有していない。この場合、第２の操作表示部１５における全ての動作を停止してしまうと、第２の加熱手段１３と第２の制御部１４に対して、図５の仕様における第２の操作表示部１５は使えないだけのものになってしまう。しかし、操作表示部の仕様として煮物と加熱タイマーの機能を有しているものが火力７レベルの火力設定を有する加熱手段と炊飯機能を有する制御部とを対象にした図５の仕様のものしか用意されていなかったときにも図５の仕様の操作表示部を使えるようにしたいので、第２の加熱手段１３と第２の制御部１４と第２の操作表示部１５の全てで使用可能な仕様のみ動作するように構成する。
【００５１】
図５の操作表示仕様とした第２の操作表示部１５において、加熱キー７１を操作すると第２の制御部１４から第２の加熱手段１３へ加熱の指示を出し、第２の加熱手段１３は第２の鍋１１の加熱を開始する。同時に第２の制御部１４は第２の操作表示部１５の加熱ランプ７２を点灯するよう指示を出し、加熱ランプ７２は点灯する。
【００５２】
さらに、第２の制御部１４はディスプレイ７３に火力５レベルの表示を行うよう指示を出し、第２の操作表示部１５はディスプレイ７３に火力５レベルの表示を行う。
【００５３】
次に、第２の操作表示部１５にて火力アップキー７４を操作すると第２の制御部１４は火力を１段階上げる指示を第２の加熱手段１３に出し、第２の加熱手段１３は火力６レベルで第２の鍋１１を加熱する。さらに火力アップキー７４を操作すると第２の制御部１４は火力を１段階上げようにも第２の加熱手段１３がその火力設定を有していないため火力を上げることはできない。そこで、第２の制御部１４は第２の操作表示部１５におけるディスプレイ７３内の火力７レベルの表示を行わないで、ブザーなどの音を発する装置やランプなどの光を発する装置やまたは第２の表示部１７のディスプレイ７３を利用して特殊な表示を行うなどの第２の報知手段１８にて使用者の操作が無効であることをお知らせして、無効な操作前の動作を継続する。
【００５４】
また、炊飯キー８１を操作した場合も第２の制御部１４は炊飯機能を有していないので第２の報知手段１８にて炊飯キー８１の操作が無効であることをお知らせする。
【００５５】
しかしながら、火力７レベルの火力設定と炊飯キー８１と炊飯ランプ８２の点灯以外の動作については問題なく動作するため、図５の操作表示仕様における第２の操作表示部１５は使用可能である。
【００５６】
このように、操作表示部を選択可能または着脱可能に構成した加熱調理器において、その接続部となる第１の制御部４と第１の操作表示部５との接続部、および第２の制御部１４と第２の操作表示部１５との接続部が第１の加熱手段３または第２の加熱手段１３が加熱動作中に万一外れたときにはそのまま加熱を継続しては切キーも受け付けず危険を伴う。このため、第１の操作表示部５または第２の操作表示部１５を接続するコネクタなどの接続部が外れたときには、外れた接続部に対応した第１の制御部４または第２の制御部１４は対応した第１の加熱手段３または第２の加熱手段１３に加熱停止の指示を出すようにしている。
【００５７】
この場合、例えば、第１の制御部４と第１の操作表示部５間の接続が外れた場合には、第２の制御部１４は第２の加熱手段１３に対して特に加熱停止の指示は出さないため、第２の加熱手段１３は加熱を継続できる。
【００５８】
なお、操作表示部の接続部が外れたことを検出する方法としては、コネクタの接続検出回路を設けたり、回路的に接続部が断線すると制御部に加熱停止の信号が印加される構成としたりするなどの方法がある。
【００５９】
以上のように、本実施の形態においては、操作表示部は異なる複数の操作表示部のうちから各々いずれか１つを選択して接続できるようにすることにより、加熱手段や制御部を変更することなく、操作表示部のみを変更することが容易にでき、複数の加熱手段間において操作表示仕様の配置を変更することが容易にでき、多岐に亘る市場ニーズにも細かく対応できる加熱調理器を安価にて実現できる。
【００６０】
また、操作表示部は、加熱手段および制御部の有する機能の殆どを操作し表示できる操作表示部と、一部の機能のみ操作または表示できる操作表示部とを選択できる構成としたことにより、複数の加熱手段のうち一部を通常加熱専用や湯沸し専用などのように機能を単純化でき、使い勝手のよい加熱調理器を容易に実現できる。
【００６１】
また、複数の加熱手段および制御部に各々独立した操作表示部を備えたことにより、一部の加熱手段の機能を変更するときには、該当の加熱手段に対応する操作表示部のみを変更することで対応でき、複数の加熱手段に対応する複数の操作表示部の組み合わせや配置を自由に設定でき、多岐に亘る市場ニーズに対してより細かく且つ安価に対応できる。
【００６２】
また、制御部は接続する操作表示部の構成に応じて各々の加熱手段の火力や制御部の機能などを変えることができる構成としたことにより、複数の加熱手段の配置に対する機能配分を自由に設定でき、設置環境や使用者の事情や好みに応じて複数の加熱手段における各々の機能を選択でき、複数の加熱手段の最大火力の合計が給電系統の容量を超えないように設定することができ、使いやすく機能的で安全な加熱調理器を安価にて提供することができる。
【００６３】
また、制御部および加熱手段と接続した操作表示部は他の制御部および加熱手段と接続した操作表示部との交換が容易にできる構成としたことにより、使用者の事情や好みの変化、使用環境の変化に応じて各々の加熱手段毎に使用者が自由に操作表示部を変更でき、機能の追加や削除なども使用者によって変更することができる。
【００６４】
また、操作表示部は加熱開始などの操作を受け付ける操作部と動作中の状態などを表示する表示部とを有し、操作部は制御部に操作入力情報を伝達し、表示部は制御部からの指示により表示をする構成とし、操作部および表示部は電源投入時または随時制御部に操作部および表示部の固有識別信号または操作仕様および表示仕様を伝達し、制御部は操作部および表示部の仕様に基づいて操作部からの情報を受け取り、表示部へ表示指示をする構成とした。これにより、操作表示部は単純な構成とすることができ、操作表示部を変更する場合でも安価にて別の操作表示部を提供することができ、制御部は操作表示部の操作仕様や表示仕様に応じて多彩な仕様や機能の中から必要な仕様や機能を簡単な構成で選択したり変更したりすることができる。
【００６５】
また、制御部は加熱手段または制御部が備えていない機能の操作仕様または表示仕様が接続した操作表示部にあるときは使用できない操作および表示については動作しない構成としたことにより、加熱手段および制御部の製品展開ができ、操作表示部の操作仕様や表示仕様が加熱手段および制御部の持つ機能や性能に合っていなくても接続して一部使用できる構成とでき、操作表示部のバリエーションを削減してコストの低下を図ることができる。
【００６６】
また、使用者に音または表示などでお知らせする報知手段を備え、制御部は使用できない操作が操作部より伝達されたときには報知手段にて無効な操作であることを使用者にお知らせするようにしたことにより、加熱手段および制御部に該当の機能がない場合に操作表示部から誤って操作しても使用できない機能であることがすぐに使用者に伝えることができ、操作表示部と加熱手段および制御部との機能差があっても操作に支障をきたさないようにすることができる。
【００６７】
また、制御部は操作表示部との接続が外れたときには外れた接続に対応した加熱手段の加熱を強制的に停止する構成としたことにより、複数の制御部と各々に対応した操作表示部との接続のうちの１つが外れたときには接続の外れた制御部に対応した加熱手段を強制的に加熱停止して安全を確保でき、それ以外の加熱手段については使用を継続でき、安全で使い勝手のよい加熱調理器を提供できる。
【００６８】
なお、本実施の形態において、加熱手段３は電磁誘導加熱のようなトッププレート２越しに加熱できる構成としていたが、電熱ヒータやガス火などトッププレート２を使用しないで直接第１の鍋１または第２の鍋１１を加熱するような熱源を用いた場合でも、複数の加熱手段を備えて同様の構成とすれば同等の効果が得られる。
【００６９】
また、本実施の形態の入力手段として各種のキーを用いているが、これは使用者の意図を制御部５に伝える用を成す入力手段であれば何でもよい。
【００７０】
また、複数の加熱手段および複数の制御部は各々同一の構成としているが、同一の構成とは、最低限、制御部と操作表示部間の接続の仕様を共通化して相互に接続して使用できる場合であり、詳細な機能や火力などまで必ずしも同一である必要性はない。例えば、第１の加熱手段３はＡＣ２００Ｖ入力であり、第２の加熱手段１３はＡＣ１００Ｖ入力であっても操作表示部の接続仕様が共通であれば同一の構成と考えてよい。
【００７１】
また、複数の加熱手段および複数の制御手段は本実施の形態においては各々２つの構成としたが、３つ以上の加熱手段および制御部を有する構成でもよく、トッププレート２は複数の加熱手段を１つでカバーしていたが、加熱手段毎にトッププレートがあっても何ら問題はない。
【産業上の利用可能性】
【００７２】
以上のように、本発明にかかる加熱調理器は、単純な構成により生産性の高さを保ちつつ、ニーズに応じて操作表示部の変更が簡単にできるので、熱源の如何にかかわらず各種加熱調理器として適用できる。
【図面の簡単な説明】
【００７３】
【図１】本発明の実施の形態における加熱調理器のブロック図
【図２】同加熱調理器の操作表示部の一例を示す平面図
【図３】同加熱調理器の操作表示部の二例を示す平面図
【図４】同加熱調理器の操作表示部の三例を示す平面図
【図５】同加熱調理器の操作表示部の四例を示す平面図
【符号の説明】
【００７４】
１、１１  鍋
３  第１の加熱手段
４  第１の制御部
５  第１の操作表示部
８  第１の報知手段
１３  第２の加熱手段
１４  第２の制御部
１５  第２の操作表示部
１８  第２の報知手段
【図１】
0005067077.tif 000002
【図２】
0005067077.tif 000003
【図３】
0005067077.tif 000004
【図４】
0005067077.tif 000005
【図５】
0005067077.tif 000006